(57)【要約】【課題】外板部材からの熱が、レールハンガ部材からコラムレール部材へ伝わるのを抑える。【解決手段】本発明は、前面に開口部を有し、内部に商品コラム１５が収められる商品収納庫７と、商品収納庫の外面を覆う外板部材３と、外板部材に固定されて商品収納庫内の背部上側に設けられたレールハンガ部材３１と、商品収納庫内の上部で前後方向に延びるように配置され、前端部が第１固定部３５により商品収納庫の開口部端に固定され、後端部が第２固定部３７，３９によりレールハンガ部材に固定され、商品収納庫内の商品コラムを吊持するコラムレール部材２９とを備える自動販売機であって、第２固定部をなすコラムレール部材の後端部とレールハンガ部材との間には断熱部材４１を有する。【選択図】図４
2019008517.tif 000002
【特許請求の範囲】
【請求項１】
前面に開口部を有し、内部に商品コラムが収められる商品収納庫と、
前記商品収納庫の外面を覆う外板部材と、
前記外板部材に固定されて前記商品収納庫内の背部上側に設けられたレールハンガ部材と、
前記商品収納庫内の上部で前後方向に延びるように配置され、前端部が第１固定部により前記商品収納庫の開口部端に固定され、後端部が第２固定部により前記レールハンガ部材に固定され、前記商品収納庫内の商品コラムを吊持するコラムレール部材と、
を備える自動販売機であって、
前記第２固定部をなす前記コラムレール部材の後端部と前記レールハンガ部材との間には断熱部材を有する
ことを特徴とする自動販売機。
【請求項２】
前記第２固定部は、前記レールハンガ部材の前面に設けられた係止口に、前記コラムレール部材の後端部に設けられた挿入部を挿入することによって、当該コラムレール部材の後端部が前記レールハンガ部材に係止される構成としてなり、
前記断熱部材は、前記係止口の開口縁部と前記挿入部との間に介装される
ことを特徴とする請求項１に記載の自動販売機。
【請求項３】
前記断熱部材は、前記レールハンガ部材の係止口と嵌り合い、前記挿入部が挿入される開口を有した筒形形状の部品から構成されることを特徴とする請求項２に記載の自動販売機。
【請求項４】
前記レールハンガ部材は、前記商品収納庫内に臨む前面にシート状の断熱パッキン部材が配置され、
前記断熱部材は、前記筒形形状の部品が商品収納庫内側から前記係止口に嵌るとともに、前記係止口よりも大きいフランジ部を有し、
前記断熱パッキン部材は、前記レールハンガ部材と前記フランジ部より挟持される
ことを特徴とする請求項３に記載の自動販売機。
【請求項５】
前記断熱部材は、硬質合成樹脂部材から構成されることを特徴とする請求項１から請求項４のいずれか一項に記載の自動販売機。
【請求項６】
前記外板部材と前記レールハンガ部材とは、複数の固定箇所で固定され、
前記第２固定部は、前記複数の固定箇所の間に存する
ことを特徴とする請求項１から請求項５のいずれか一項に記載の自動販売機。
【請求項７】
前記レールハンガ部材は、前記複数の固定箇所と前記第２固定部との間にサーマルブレーキを有することを特徴とする請求項６に記載の自動販売機。
【発明の詳細な説明】
【技術分野】
【０００１】
本発明は、ビン、ＰＥＴボトルまたは缶などの容器入り飲料の商品を冷却または加熱して販売する自動販売機に係り、特に庫外からコラムレールへ伝わる熱を遮る構造に関する。
【背景技術】
【０００２】
缶入りの飲料等商品を販売する自動販売機は、金属製の外板部材で覆われた商品収納庫をもち、この商品収納庫内に商品コラムを吊持して設置し、この商品コラム内に各種飲料等商品を収容することが行われている。通常、自動販売機は、コインを投入したり、ＩＣカードの電子マネー情報を読み取る操作を行うことにより、上記商品コラムから、選んだ飲料等商品が収納庫外へ搬出される。
【０００３】
こうした自動販売機における商品コラムは、庫外からの熱影響を避けるために、最小の二点で支持する構造が用いられる。多くは、特許文献１のように商品収納庫内の上部に前後方向に延びるコラムレール部材を配置し、前端部を商品収納庫の前面の開口部（開口縁部）端に固定し、後端部を商品収納庫の背部上側に設けたレールハンガ部材に固定している。
【先行技術文献】
【特許文献】
【０００４】
【特許文献１】特開２００５−１３５２６３
【発明の概要】
【発明が解決しようとする課題】
【０００５】
通常、レールハンガ部材は、商品収納庫の骨格をなすとされ、商品収納庫の背部にある外板部材に固定される。
しかし、自動販売機は、本体部における剛性強度の確保のため、外板部材、レールハンガ部材およびコラムレール部材のいずれも金属製の部材で構成される。
室外に据え付くことが多い自動販売機は、商品収納庫の前面側（開口部側）については内扉、外扉の二重扉に覆われるので、外気の熱的影響は抑えられる。しかし、商品収納庫の外板部材は、外部に露出して外気に晒されるため、日射量が多く、気温が高い夏期などにおいては、外板部材の温度はかなり上昇する。また冬期の加温商品を収納する加温商品収庫においては、外気で外板部材は冷やされるため、外板部材の温度は下降する。
【０００６】
こうした外板部材の（冷）熱が、金属製のレールハンガ部材、コラムレールを伝わり、商品収庫内や商品コラムなどへ侵入することで、冷却性能や加温性能や保冷性能や保温性能を悪化させていた。
特に外気の温度上昇が著しい夏期や極低外気温の冬期などは、自動販売機の冷却性能や加温性能が負担を強いられ、自動販売機の保冷性能や保温性能が悪化し、ひいてはエネルギ消費が増大するという問題を生じていた。
【０００７】
そこで、本発明の目的は、外板部材からの熱が、レールハンガ部材からコラムレール部材へ伝わるのを抑える自動販売機を提供する。
【課題を解決するための手段】
【０００８】
本発明の態様は、前面に開口部を有し、内部に商品コラムが収められる商品収納庫と、商品収納庫の外面を覆う外板部材と、外板部材に固定されて商品収納庫内の背部上側に設けられたレールハンガ部材と、商品収納庫内の上部で前後方向に延びるように配置され、前端部が第１固定部により商品収納庫の開口部端に固定され、後端部が第２固定部によりレールハンガ部材に固定され、商品収納庫内の商品コラムを吊持するコラムレール部材とを備える自動販売機であって、第２固定部をなすコラムレール部材の後端部とレールハンガ部材との間には断熱部材を有するものとした。
【０００９】
好ましくは第２固定部は、レールハンガ部材の前面に設けられた係止口に、コラムレール部材の後端部に設けられた挿入部を挿入することによって、当該コラムレール部材の後端部がレールハンガ部材に係止される構成としてなり、断熱部材は係止口の開口縁部と挿入部との間に介装されるものとした。
好ましくは断熱部材は、レールハンガ部材の係止口と嵌り合い、挿入部が挿入される開口を有した筒形形状の部品から構成される筒形形状の部品から構成されるものとした。
【００１０】
好ましくはレールハンガ部材は、商品収納庫内に臨む前面にシート状の断熱パッキン部材が配置され、断熱部材は、筒形形状の部品が商品収納庫内側から前記係止口に嵌るとともに、係止口よりも大きいフランジ部を有し、断熱パッキン部材は、レールハンガ部材とフランジ部より挟持されるものとした。
好ましくは断熱部材は、硬質合成樹脂部材から構成されるものとした。
【００１１】
好ましくは外板部材とレールハンガ部材とは、複数の固定箇所で固定され、第２固定部は、複数の固定箇所の間に存するものとした。
好ましくはレールハンガ部材は、複数の固定箇所と第２固定部との間にサーマルブレーキを有するものとした。
【発明の効果】
【００１２】
本発明の自動販売機によれば、夏期時など、外板部材の温度がかなり上昇したときにおける熱は、レールハンガ部材から、コラムレール部材へ侵入しようとするが、両者間は断熱部材によって熱的に遮られるため、レールハンガ部材からコラムレール部材に伝わる熱は抑えられる。つまり、外板部材からの熱が、レールハンガ部材からコラムレール部材へ伝わるのを抑えることができる。
【００１３】
したがって、断熱部材の採用により、自動販売機の冷却性能や加温性能に負担を強いるのを防ぐことができ、自動販売機の保冷性能や保温性能の安定性を図ることができ、ひいてはエネルギ消費の増大を抑制することができる。
【図面の簡単な説明】
【００１４】
【図１】本発明の一実施形態に係る態様となる内扉、外扉を開けた状態の自動販売機を示す斜視図。
【図２】（ａ）は自動販売機の商品収納庫の上部側を示す斜視図、（ｂ）は商品収納庫内に吊持される商品コラムを示す斜視図、（ｃ），（ｄ）は商品コラムを吊持する吊持構造の各部を示す斜視図。
【図３】コラムレールの後端部の固定構造（第２固定部）を異なる方向から見た斜視図。
【図４】図３中のＡ−Ａ線に沿う断面図。
【図５】図３の固定構造（第２固定部）の各部を分解して示す斜視図。
【発明を実施するための形態】
【００１５】
以下、本発明を図１から図５に示す一実施形態にもとづいて説明する。
図１は、内扉および外扉が開いた状態の自動販売機の全体を示し、図２（ａ）〜（ｂ）は、同自動販売機の商品コラムを吊持する吊持構造の各部を示している。
まず自動販売機の主な構成を説明すると、図１に示されるように自動販売機は、前面が開口した本体１を有している。本体１は、各種外板部材３を組み合わせて構成される箱形の外板部５と、外板部５内に設けられた商品収納庫７と有している。商品収納庫７は、外板部材３の内面に各種断熱壁９を配設して構成される。つまり、断熱性をもつ商品収納庫７は、各部外面が外板部材３によって覆われる。なお、外板部５および商品収納庫７は、いずれも前部が開口している。
【００１６】
ちなみに、商品収納庫７の前部の開口部は、内扉１１（断熱性を有する）によって開閉され、外板部５の前部の開口部５ａは、外扉１３によって開閉される。
商品収納庫７内には、複数の商品コラム、例えば複数種の缶入りの飲料の商品（図示しない）を収める商品コラム１５が、幅方向に並んで配置される。これら商品コラム１５は、いずれも図１および図２（ａ）に示されるように複数種の商品を個別に収容する複数のサーペンタイン形の通路部１７（一部しか図示せず）を挟んで両側に一対の側板１９を組み付け、側板１９間の上方前部に商品毎の商品搬入口部２１を形成し、側板１９間の下部に商品シュート部２３（図１に一部図示）を形成して構成される。ちなみに各商品コラム１５の側板１９の上端部には、図２（ｂ）に示されるように幅方向外側へＵ字形に曲成した一対のフック部２５が形成される。
【００１７】
一方、図２（ａ）に示されるように商品収納庫７の上部には、上記商品コラム１５の側板１９毎、商品収納庫７の幅方向沿いに一対のコラムレール部材２９が複数組、配置されている。各一対のコラムレール部材２９は、いずれも金属製で、商品収納庫７の前後方向に延びている。一対のコラムレール部材２９は、いずれも図２（ｃ）,（ｄ）に示されるようにＬ形の断面をもつ細長部材（一般金属部材）から構成される。さらに述べれば、コラムレール部材２９は、水平向きとなる一方の壁部２９ａを設置側とし、下方へ向く他方の壁部２９ｂを吊持側として前後方向へ延びている。各壁部２９ｂの先端部には、商品収納庫７の幅方向外側へＵ字形に曲成した係止部２８が形成されている。
【００１８】
これらコラムレール部材２９は、いずれも前・後端部を固定する二点支持構造にて、商品収納庫７の上部に据え付けられる。
すなわち、図２（ｂ）に示されるように商品収納庫７の前面に形成される開口部の上部開口縁には、同開口縁の前側に位置して、外板部５の骨格をなす梁部材６（例えばチャンネル部材で構成）が配設される。
【００１９】
また図２（ｃ）に示されるように梁部材６とは反対側の商品収納庫７の背部上側には、商品収納庫７の幅方向に沿って延びる帯形のレールハンガ部材３１が設けられている。レールハンガ部材３１は、金属製（金属板の曲成でなる）で、図４に示される断面図のように商品収納庫７の背部の外板部材３の内面部分に配置される座壁３３ａと、同座壁３３ａから、商品収納庫７の背部に配置された断熱壁９の前面側へ向かう突出壁３３ｂと、同突出壁３３ｂから商品収納庫７の下方へ延びるコラム支持壁３３ｃとを有している。ちなみに、コラム支持壁３３ｃの先端部はＵ字形に折り返してある。このレールハンガ部材３１は、座壁３３ａの複数の箇所が、背部の外板部材３の複数の箇所に取着、例えばボルトナット３４により固定されることによって、庫内上部に据え付けられている（図４）。つまり、レールハンガ部材３１と背部の外板部材３とは、複数の固定箇所で固定される。なお、ボルトナット３４による固定に替えて、スポット溶接により固定してもよい。これにより、レールハンガ部材３１は、商品収納庫７内の背部上側に設けられ、外板部５の骨格をなす。ちなみにレールハンガ部材３１と、背部に配置されている断熱壁９とは隣接する。また図４および図５に示されるようにレールハンガ部材３１の庫内に臨むコラム支持壁３３ｃの前面には、前面全域を覆うようシート状の断熱パッキン部材３２が配置され、庫内に対する断熱を行っている。
【００２０】
上記コラムレール部材２９は、いずれも図２に示されるように後端部がールハンガ部材３１のコラム支持壁３３ｃ、具体的には複数の固定箇所（ボルトナット３４で固定される箇所）の間のコラム支持壁部分に差し込まれることによって固定され（図２（ｄ）、図３）、前端部となる壁部２９ａ部分が、梁部材６の下壁下面に固定、例えばボルト部材３５により締結される。つまり、コラムレール部材２９は、前側のボルト部材３５による締結構造を第１固定部とし、後側の差込み構造を第２固定部とした前後二点を固定部とした固定構造で固定される。ちなみに、後側は差込みで、前側はボルト固定する手法は、コラムレール部材２９の組付作業の簡素化のために行われている。
【００２１】
さらに述べれば、後側の差込み構造（第２固定部）は、図５に示されるようにコラムレール部材２９の後端部に、Ｕ字形の係止部２８の基部側だけを延長させた挿入部３７を形成し、レールハンガ部材３１の前面となるコラム支持壁３３ｃに係止口３９を設けて、挿入部３７を係止口３９へ挿入することにより、挿入部３７が係止口３９に係止されるものとなっている。
【００２２】
上記商品コラム１５は、図２（ａ），（ｂ）に示されるようにコラムレール部材２９の各係止部２８に、商品コラム１５の各フック部２５（側板１９）を係止することによって吊持される。つまり、商品コラム１５は、コラムレール部材２９から吊り下げられて、商品収納庫７内に収められる。
ちなみに、図１に示される商品収納庫７の下側に形成される機械室７ａには、図示はしないが、庫内を冷却（あるいは加熱）する機器が設けられる。また外扉１３には、図示はしないが、商品コラム１５の商品の販売に必要な各種機器、例えば販売商品用の表示部、商品選択スイッチ、紙幣投入口、硬貨投入口、返却レバーなどが装備される。外扉１３の下段には、商品コラム１５の商品シュート部２３から搬出される商品が向かう商品取出口１３ａが設けられ、自動販売機は、保冷した商品や保温した商品の販売が行えるものとなっている。
【００２３】
ところで、箱形の外板部５を構成する外板部材３、レールハンガ部材３１、コラムレール部材２９は、本体１の剛性強度の確保のため、いずれも金属製が用いられ、構造上、外板部５の熱が、レールハンガ部材３１、コラムレール部材２９伝わり、庫内や商品コラム１５へ侵入しやすい。
この侵入熱を抑える工夫が、コラムレール部材２９の後端部を固定する固定構造（第２固定部）に講じられている。
【００２４】
これには、主にコラムレール部材２９とこれと接するレールハンガ部材３１との間に、熱の伝達を遮る断熱部材４１を介在させる構造が用いられている。
ここで、図３は、図２のコラムレール部材２９の後端部の固定構造を異なる方向から見た状態を示し、図４は図３中のＡ−Ａ線に沿う固定構造を示し、図５は同固定構造の各部を分解した状態を示している。
【００２５】
つぎに、図３〜図５（ａ），（ｂ） を参照して、断熱部材４１を含む周辺の構造を説明する。
断熱部材４１は、レールハンガ部材３１の係止口３９と嵌り合う筒形形状に形成された筒形本体部４３（断熱部品）を有している。筒形本体部４３は、硬質合成樹脂部材（例えばＰＰを含む合成樹脂部材）から成形され、断熱性をもたせている。そして、筒形本体部４３の中央に有する開口４３ａを、上記コラムレール部材２９の挿入部３７が差し込まれる差込口としている。
【００２６】
つまり、筒形本体部４３は、図５（ａ）に示されるように商品収納庫７内側から、断熱パッキン部材３２の通孔３２ａを通じ、レールハンガ部材３１の係止口３９へ挿入されることにより、レールハンガ部材３１のコラム支持壁３３ｃに組み込まれる。そして、この筒形本体部４３の差込口（開口４３ａ）に、コラムレール部材２９の挿入部３７が差し込まれることにより、コラムレール部材２９の後端部が固定される構造としている。この構造により、図４に示されるように挿入部３７の外面と係止口３９の開口縁との間には、筒形本体部４３の周壁（断熱部材４１）が介装され、レールハンガ部材３１のコラム支持壁３３ｃとコラムレール部材２９の挿入部３７との間を断熱し、両者間における熱の伝達を遮る。
【００２７】
すなわち、背部の外板部材３からレールハンガ部材３１、コラムレール部材２９を通じ庫内へ伝わる外気の熱が、レールハンガ部材３１からコラムレール部材２９へ伝わる段階で断熱、すなわち伝熱が抑えられる。
また筒形本体部４３の商品収納庫７側の端部には、全周に渡りフランジ部４５が形成されている。フランジ部４５は、係止口３９よりも大きく、筒形本体部４３が、商品収納庫７内側から断熱パッキン部材３２を通して係止口３９へ嵌るにしたがい、フランジ部４５にて、通孔３２ａ周辺の断熱パッキン部材部分が商品収納庫７側から押え付けられる構造としている。この各筒形本体部４３のフランジ部４５による押え付けを利用して、断熱パッキン部材３２全体を、コラム支持壁３３ｃ（レールハンガ部材３１）の前面全体に挟持させている。特に図４および図５（ｂ）に示されるように筒形本体部４３の周壁外面の各部には、抜け止め用の突部４７が設けられ、同突部４７と係止口３９の開口縁との係合により、不用意に筒形本体部４３がコラム支持壁３３ｃから抜け出ない構造にしている。
【００２８】
また、レールハンガ部材３１には、コラムレール部材２９の後端部へ伝わる熱を制限する工夫が施されている。これには、まず図３および図５に示されるように背部の外板部材３からの熱の通り道となる、レールハンガ部材３１を固定する各ボルトナット３４の位置を、コラムレール部材２９の取付け位置（第２固定部）から遠ざけた位置にまでずらしている。ここでは、コラムレール部材２９の後端部が取り付く位置を、レールハンガ部材３１の複数の固定箇所の間に設け、熱の通り道から避けている。またレールハンガ部材３１のうち、レールハンガ部材３１が固定される複数の固定箇所（ボルトナット３４）とコラムレール部材２９の後端部の固定箇所との間の座壁部分３６（図３中の「Ｌ」で示され領域）には、切欠き部４９（ここでは複数）が設けられ、コラムレール部材２９へ伝わる熱を規制するサーマルブレーキを構成している。つまり、レールハンガ部材３１の固定箇所（ボルトナット３４）間に、コラムレール部材２９の後端部を固定することにより、外板部材３とレールハンガ部材３１との取着（固定）、すなわち熱の直接伝わる箇所からコラムレール部材２９を遠ざけ、さらにレールハンガ部材３１の固定箇所（ボルトナット３４）とコラムレール部材２９の後端部の固定箇所との間の座壁部分３６（レールハンガ部材３１の底壁３３ａ）に切欠き部４９を設けることで構成されるサーマルブレーキによって、ボルトナット３４を通じてコラムレール部材２９の挿入部３７へ伝わる熱を規制する。
【００２９】
さらに図５（ｂ）に示されるようにコラムレール部材２９が組み付くコラム支持壁３３ｃ（レールハンガ部材３１）にも、同様に多数の開口部５１が設けられ、コラムレール部材２９の挿入部３７へ伝わる熱を規制するサーマルブレーキを構成している。
断熱部材４１による侵入熱の規制は、こうしたコラムレール部材２９を直接熱が伝わる箇所から遠ざける構造やサーマルブレーキの併用により、効果的に行われる。
【００３０】
ちなみに、サーマルブレーキは、底壁３３ａに設けた切欠き部４９、コラム支持壁３３ｃに設けた開口部５１の他に、突出壁３３ｂに切欠き部、開口部などの開口（いずれも図示しない）を設けてもよい。サーマルブレーキを構成する開口の形状も角穴、丸穴に限らず、どのような形状でもよい。もちろん、スリット状の穴を並行に配置したり千鳥状に配置したりする構造でもよい。
【００３１】
以上説明したように一実施形態によれば、夏期時など、外板部材３の温度がかなり上昇したときにおける熱（あるいは冬期時における冷熱）は、レールハンガ部材３１からコラムレール部材２９へ侵入しようとするが、両者間は断熱部材４１によって熱的に遮られるため、レールハンガ部材３１からコラムレール部材２９へ伝わる熱は抑えられる。つまり、外板部材３からの熱が、レールハンガ部材３１からコラムレール部材２９へ伝わるのを抑えることができる。特にレールハンガ部材３１における複数の固定箇所の間にコラムレール部材２９の固定位置（第２固定部）を配置したり、レールハンガ部材３１のうちレールハンガ部材３１の固定箇所とコラムレール部材２９の後端部の固定位置との間にサーマルブレーキをなす切欠き部４９や開口部５１を設けたことにより、一層、効果的にコラムレール部材２９の後端部への伝熱を抑えることができる。
【００３２】
したがって、自動販売機の冷却性能や加温性能に負担を強いるのを防ぐことができ、自動販売機の保冷性能や保温性能の安定性が図れるとともに、エネルギ消費の増大を抑制することができる。
しかも、断熱部材４１は、コラムレール部材２９の後端部の固定に用いられる差込み構造（挿入部３７、係止口３９）に合わせて、挿入部３７と係止口３９との間に介装される筒形本体部４３（筒形形状の部品）を用いたので、簡単にコラムレール部材２９の挿入部３７とレールハンガ部材３１の係止口３９との間（接触部部分間）に介装することができる。特に筒形本体部４３は、硬質合成樹脂部材から構成したので、コラムレール部材２９の挿入部３７がレールハンガ部材３１の係止口３９に挿入される際、破断するおそれはなく、長年の使用により筒形本体部４３の厚さが変化（減少して薄くなる）して断熱効果が低下することはない。
【００３３】
そのうえ、筒形本体部４３（筒形形状の部品）は、フランジ部４５を設けることによって、挿入しやすくなるだけでなく、庫内断熱のためにコラム支持壁３３ｃ（レールハンガ部材３１）の前面に配置される断熱パッキン部材３２を固定する部品を兼ねるので、別途、断熱パッキン部材３２を固定するための作業、例えば糊付け作業は不要となる。
なお、上述した一実施形態における各構成およびそれの組み合わせ等は一例であり、本発明の趣旨から逸脱しない範囲内で、構成の付加、省略、置換、およびその他の変更が可能であることはいうまでもない。また本発明は、上述した一実施形態によって限定されることはなく、「特許請求の範囲」によってのみ限定されることはいうまでもない。例えば本実施形態では、商品コラムとしてサーペンタイン形を記載したが、これに限らず、例えば直積み形のコラムであっても、同様の吊持構造の場合に本発明を適用することができる。
【符号の説明】
【００３４】
３  外板部材
７  商品収納庫
７ａ  開口部
１５  商品コラム
２９  コラムレール部材
３１  レールハンガ部材
３２  シート状の断熱パッキン部材
３５  ボルト部材（第１固定部）
３７、３９  挿入部，係止口（第２固定部）
４３  筒形本体部（筒形形状の部品、断熱部材）
４５  フランジ部
【図１】
2019008517.tif 000003
【図２】
2019008517.tif 000004
【図３】
2019008517.tif 000005
【図４】
2019008517.tif 000006
【図５】
2019008517.tif 000007